【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
顧客が買上げる商品の登録を行う登録手段による登録から会計完了していない複数の顧客毎の買上情報を記憶して、登録処理あるいは会計処理を並行して行うことができるＰＯＳレジスタにおいて、
前記買上情報を前記顧客毎に切り替えて表示させるために操作するインデックスを表示する表示手段と、
前記登録手段による登録処理時に前記顧客を識別する顧客の特徴を入力する入力手段と、
前記登録手段で登録された前記買上情報と前記入力手段が入力した前記顧客の特徴とを記憶する記憶手段と、
を備え、
前記記憶手段が記憶した前記買上情報を前記顧客毎に切り換えて表示させるために操作する前記インデックスに対応させて前記顧客の特徴を表示する
ことを特徴とするＰＯＳレジスタ。
【請求項２】
前記顧客を識別する前記顧客の特徴を記憶する顧客特徴情報記憶手段
をさらに備え、
前記登録手段による前記顧客が購入する商品の登録処理時に、前記表示手段が前記顧客の特徴を選択可能に表示して前記顧客の特徴の選択を前記入力手段が受け付け、前記登録手段による前記登録処理時に選択された前記顧客の特徴を、当該顧客の買上情報を表示させるために操作する前記インデックスに表示する
ことを特徴とする請求項１に記載のＰＯＳレジスタ。
【請求項３】
前記顧客特徴情報記憶手段は、複数の画像を更に記憶し、
前記表示手段は、前記顧客情報記憶手段が記憶する前記顧客の特徴を表した画像を選択可能に表示する
ことを特徴とする請求項１または請求項２のいずれか１項に記載のＰＯＳレジスタ。
【請求項４】
前記表示手段は、前記会計処理が完了した顧客の前記買上情報を表示させるために操作する前記インデックスから前記顧客の特徴を消去して、当該インデックスを表示する
ことを特徴とする請求項１から請求項３のいずれか１項に記載のＰＯＳレジスタ。
【請求項５】
前記表示手段は、
前記顧客の特徴を分類別に表示する
ことを特徴とする請求項１から請求項４のいずれか１項に記載のＰＯＳレジスタ。
【手続補正２】
【補正対象書類名】明細書
【補正対象項目名】０００８
【補正方法】変更
【補正の内容】
【０００８】
本発明は、顧客が買上げる商品の登録を行う登録手段による登録から会計完了していない複数の顧客毎の買上情報を記憶して、登録処理あるいは会計処理を並行して行うことができるＰＯＳレジスタにおいて、前記買上情報を前記顧客毎に切り替えて表示させるために操作するインデックスを表示する表示手段と、前記登録手段による登録処理時に前記顧客を識別する顧客の特徴を入力する入力手段と、前記登録手段で登録された前記買上情報と前記入力手段が入力した前記顧客の特徴とを記憶する記憶手段と、を備え、前記記憶手段が記憶した前記買上情報を前記顧客毎に切り換えて表示させるために操作する前記インデックスに対応させて前記顧客の特徴を表示することを特徴とするＰＯＳレジスタである。
【手続補正３】
【補正対象書類名】明細書
【補正対象項目名】０００９
【補正方法】変更
【補正の内容】
【０００９】
この構成によれば、顧客が購入する商品の登録から会計完了していない複数の顧客毎の買上情報を記憶して、登録処理あるいは会計処理を並行して行うことができるＰＯＳレジスタにおいて、表示手段は、買上情報を顧客毎に切り替えて表示させるために操作するインデックスを表示する。また、入力手段は、登録手段による登録処理時に前記顧客を識別する顧客の特徴を入力する。また、記憶手段は、登録手段で登録された買上情報と入力手段が入力した顧客の特徴とを記憶する。また、記憶手段が記憶した買上情報を顧客毎に切り換えて表示させるために操作するインデックスに対応させて顧客の特徴を表示する。
【手続補正４】
【補正対象書類名】明細書
【補正対象項目名】００１１
【補正方法】変更
【補正の内容】
【００１１】
また、本発明は、前記顧客を識別する前記顧客の特徴を記憶する顧客特徴情報記憶手段をさらに備え、前記登録手段による前記顧客が購入する商品の登録処理時に、前記表示手段が前記顧客の特徴を選択可能に表示して前記顧客の特徴の選択を前記入力手段が受け付け、前記登録手段による前記登録処理時に選択された前記顧客の特徴を、当該顧客の買上情報を表示させるために操作する前記インデックスに表示することを特徴とするＰＯＳレジスタである。
【手続補正５】
【補正対象書類名】明細書
【補正対象項目名】００１２
【補正方法】変更
【補正の内容】
【００１２】
この構成によれば、顧客特徴情報記憶手段は、顧客を識別する顧客の特徴を記憶する。また、登録手段による顧客が購入する商品の登録処理時に、表示手段が顧客の特徴を選択可能に表示して顧客の特徴の選択を入力手段が受け付け、登録手段による登録処理時に選択された顧客の特徴を、当該顧客の買上情報を表示させるために操作するインデックスに表示する。
【手続補正６】
【補正対象書類名】明細書
【補正対象項目名】００１４
【補正方法】変更
【補正の内容】
【００１４】
また、本発明のＰＯＳレジスタにおいて、前記顧客特徴情報記憶手段は、複数の画像を更に記憶し、前記表示手段は、前記顧客情報記憶手段が記憶する前記顧客の特徴を表した画像を選択可能に表示することを特徴とする。
【手続補正７】
【補正対象書類名】明細書
【補正対象項目名】００１５
【補正方法】変更
【補正の内容】
【００１５】
この構成によれば、顧客特徴情報記憶手段は、複数の画像を更に記憶し、表示手段は、顧客情報記憶手段が記憶する顧客の特徴を表した画像を選択可能に表示する。これにより、インデックスに表示される画像は、顧客の特徴を表すキャラクタ画像であるため、オペレータは容易にインデックスと顧客とを対応付けることができる。よって、オペレータは、他の顧客の買上情報に商品の追加登録処理を行ってしまったり、他の顧客の買上情報を用いて会計処理を行ってしまうことを防止することができる。
【手続補正８】
【補正対象書類名】明細書
【補正対象項目名】００１６
【補正方法】変更
【補正の内容】
【００１６】
また、本発明のＰＯＳレジスタにおいて、前記表示手段は、前記会計処理が完了した顧客の前記買上情報を表示させるために操作する前記インデックスから前記顧客の特徴を消去して、当該インデックスを表示することを特徴とする。
【手続補正９】
【補正対象書類名】明細書
【補正対象項目名】００１７
【補正方法】変更
【補正の内容】
【００１７】
この構成によれば、表示手段は、会計処理が完了した顧客の買上情報を表示させるために操作するインデックスから顧客の特徴を消去して、当該インデックスを表示する。
【手続補正１０】
【補正対象書類名】明細書
【補正対象項目名】００１９
【補正方法】変更
【補正の内容】
【００１９】
また、本発明のＰＯＳレジスタにおいて、前記表示手段は、前記顧客の特徴を分類別に表示することを特徴とする。
【手続補正１１】
【補正対象書類名】明細書
【補正対象項目名】００２０
【補正方法】変更
【補正の内容】
【００２０】
この構成によれば、表示手段は、顧客の特徴を分類別に表示する。これにより、オペレータは、インデックスに表示させるキャラクタ画像を容易に選択することができる。よって、より顧客の特徴に合ったキャラクタ画像をインデックスに表示させることができるため、オペレータは、他の顧客の買上情報に商品の追加登録処理を行ってしまったり、他の顧客の買上情報を用いて会計処理を行ってしまうことを防止することができる。
【手続補正１２】
【補正対象書類名】明細書
【補正対象項目名】００２１
【補正方法】変更
【補正の内容】
【００２１】
本発明によれば、顧客の買上情報を呼出すために操作するインデックスに顧客の特徴を表示させるので、オペレータが容易に顧客の買上情報を選択することができるため、他の顧客の買上情報を間違えて呼び出し、他の顧客の買上情報に対して商品の追加登録処理や会計処理を行ってしまうことを防止することができる。